(57)【要約】【課題】フィルタの洗浄時期と、供給される水の種類とを、それぞれ同様の形態で表示し、且つ、使用者に比較的容易に識別させることが可能であるように表示する浄水器を提供する。【解決手段】フィルタ洗浄判断部１７１は、フィルタ１０１の洗浄時期を検知する。水種判別部１７２は、浄水器１００から外部に供給される水の種類を判別する。光源１４０は、水種判別部１７２による水の種類の判別と、フィルタ洗浄判断部１７１による判断とに基づいて発光する。光源１４０は、フィルタ洗浄判断部１７１による判断に基づいて発光する場合と、水種判別部１７２による水の種類の判別に基づいて発光する場合とで、それぞれ異なる色で発光する。導光板１４５は、管状部材１１２の外側に配置され、光源１４０が発する光を導光板１４５の少なくとも一部からノズル１１０の外部に放出する。【選択図】図２
2012096182.tif 000002
【特許請求の範囲】
【請求項１】
水が流通する流路と、
前記流路に配置され、前記流路を流通する水を浄化するフィルタと、
前記流路を流通する水を吐出するノズルと、
を備えた浄水器であって、さらに、
前記フィルタの洗浄時期を判断するフィルタ洗浄判断部と、
当該浄水器から外部に供給される水の種類を判別する水種判別部と、
複数の色の光を発し、前記水種判別部による水の種類の判別と、前記フィルタ洗浄判断部による判断とに基づいて発光する光源と、を備え、
前記光源は、前記フィルタ洗浄判断部による判断に基づいて発光する場合と、前記水種判別部による水の種類の判別に基づいて発光する場合とで、それぞれ異なる色で発光し、
前記ノズルは、前記流路を形成する管状部材と、前記光源が発する光を伝える導光部と、を有し、
前記導光部は、前記管状部材の外側に配置され、前記光源が発する光を前記導光部の少なくとも一部から前記ノズルの外部に放出する、浄水器。
【請求項２】
前記水種判別部は、当該浄水器から外部に供給される水の種類として、浄水、オゾンを含む水、機能物質が混入された機能水、熱水、または、冷水のうちの少なくとも一つを判別する、
請求項１に記載の浄水器。
【発明の詳細な説明】
【技術分野】
【０００１】
この発明は、浄水器に関する。
【背景技術】
【０００２】
国際公開第２００７／１２６０４７号パンフレット（以下では特許文献１という）、または、特開２００４−１４８１６２号公報（以下では特許文献２という）に記載されているように、浄水器の所定の状態を表示する表示部等を備えた浄水器が従来から知られている。
【０００３】
特許文献１に係る浄水器は、使用者が選択した水の種類および浄水器から供給される水の種類を使用者が視認することができるように、切換操作手段の機械的な構造を用いて浄水器から供給される水の種類を表示する。
【０００４】
特許文献２に係る浄水器は、浄水器に備えられたフィルタの交換時期を使用者が視認することができるように構成されている。特許文献２に係る浄水器は、フィルタの交換時期として使用者に選択される所望の月日を、機械的な構造を用いて表示する。
【０００５】
また、例えば、特開２００８−２７２６９３号公報（以下では特許文献３という）に係る浄水器は、汚染物質が給水口から浄水器の内部に逆流したときに、その旨を液晶画面またはＬＥＤランプを利用することによって警告する手段を備えている。
【先行技術文献】
【特許文献】
【０００６】
【特許文献１】国際公開第２００７／１２６０４７号パンフレット
【特許文献２】特開２００４−１４８１６２号公報
【特許文献３】特開２００８−２７２６９３号公報
【発明の概要】
【発明が解決しようとする課題】
【０００７】
しかしながら、特許文献３に係る浄水器のように、所定の状態を液晶画面で表示したりＬＥＤランプの点灯によって表示したりすることは、使用者が水の種類を識別しやすいとはいえない。例えば、液晶画面で所定の状態を表示することは、使用者は、簡単な表示であっても、液晶画面を見てそれを解読することが必要である。また、ＬＥＤランプが点灯していることのみでは、その表示が比較的小さいことにより、使用者はその表示を視認しにくい。
【０００８】
また、浄水器の複数の所定の状態のうち、フィルタの洗浄時期と、浄水器から供給される水の種類とは、浄水器が日常的に使用される範囲において、使用者による識別が必要な状態であることが想定される。
【０００９】
したがって、浄水器の複数の所定の状態のうち、これらフィルタの洗浄時期と、浄水器から供給される水の種類とが、使用者が比較的識別しやすく且つそれぞれ同様の形態によって表示される場合には、浄水器の利便性がさらに向上する。つまり、フィルタの洗浄時期と、供給される水の種類とを、それぞれ同様の形態によって表示し、且つ、使用者に比較的容易に識別させることが可能であるように表示する浄水器が望まれている。
【００１０】
そこで、この発明の目的は、フィルタの洗浄時期と、供給される水の種類とを、それぞれ同様の形態で表示し、且つ、使用者に比較的容易に識別させることが可能であるように表示する浄水器を提供することである。
【課題を解決するための手段】
【００１１】
この発明に従った浄水器は、流路と、フィルタと、ノズルとを備えている。流路には、水が流通する。フィルタは、流路に配置され、流路を流通する水を浄化する。ノズルは、流路を流通する水を吐出する。さらに、この発明に従った浄水器は、フィルタ洗浄判断部と、水種判別部と、光源とを備えている。フィルタ洗浄判断部は、フィルタの洗浄時期を判断する。水種判別部は、当該浄水器から外部に供給される水の種類を判別する。光源は、複数の色の光を発する。また、光源は、水種判別部による水の種類の判別と、フィルタ洗浄判断部による判断とに基づいて発光する。光源は、フィルタ洗浄判断部による判断に基づいて発光する場合と、水種判別部による水の種類の判別に基づいて発光する場合とで、それぞれ異なる色で発光する。一方、ノズルは、管状部材と導光部とを有している。管状部材は流路を形成する。導光部は光源が発する光を伝える。また、導光部は、管状部材の外側に配置され、光源が発する光を導光部の少なくとも一部からノズルの外部に放出する。
【００１２】
この発明によれば、フィルタ洗浄判断部による判断に基づいて光源が発光するときの色と、水種判別部による水の種類の判別に基づいて光源が発光するときの色とがそれぞれ異なっている。これにより、フィルタ洗浄判断部による判断に基づいて導光部が灯光するときの色と、水種判別部による水の種類の判別に基づいて導光部が灯光するときの色とがそれぞれ異なっている。
【００１３】
また、導光部は、管状部材の外側に配置され、光源が発する光を導光部の少なくとも一部からノズルの外部に放出する。このように、導光部は、導光部が伝えている光を当該浄水器の使用者が視認することができるように、ノズルに配置されている。そのため、使用者は、フィルタ洗浄判断部による判断に基づいて光源が発光するときと、水種判別部によって判別される水の種類が浄水である場合に光源が発光するときとにおいて、それぞれ異なる色で光っている導光部を視認することができる。
【００１４】
このように、この発明に従った浄水器において、導光部は、フィルタ洗浄判断部による判断に基づいて光るときと、水種判別部による水の種類の判別に基づいて光るときとにおいて、ノズルにて同様の形態で光っている。すなわち、この発明に従った浄水器は、フィルタの洗浄時期と、当該浄水器から外部に供給される水の種類とを、ノズルに配置された導光部の光によって表示することができる。また、導光部が伝えている光によってノズルが光るため、使用者は、フィルタの洗浄時期と、供給される水の種類とを、比較的容易に識別することができる。したがって、この発明に従った浄水器は、フィルタの洗浄時期と、供給される水の種類とを、それぞれ同様の形態で表示し、且つ、使用者に比較的容易に識別させることが可能であるように表示する。
【００１５】
また、この発明に従った浄水器では、水種判別部は、当該浄水器から外部に供給される水の種類として、浄水、オゾンを含む水、機能物質が混入された機能水、熱水、または、冷水のうちの少なくとも一つを判別することが好ましい。
【００１６】
この構成によれば、当該浄水器から外部に供給される水の種類として、浄水、オゾンを含む水、機能水、熱水、または冷水と、さらにフィルタの洗浄時期とが、それぞれ同様の形態で表示され、且つ、使用者に比較的容易に識別させることが可能であるように表示される。そのため、この構成によれば、当該浄水器の利便性がより向上する。
【発明の効果】
【００１７】
以上のように、この発明によれば、フィルタの洗浄時期と、供給される水の種類とを、それぞれ同様の形態で表示し、且つ、使用者に比較的容易に識別させることが可能であるように表示する浄水器を提供することができる。
【図面の簡単な説明】
【００１８】
【図１】この発明に係る浄水器の一例の全体を示す模式図である。
【図２】この発明に係る浄水器の制御ブロック図である。
【図３】この発明に係る浄水器のノズルの断面図である。
【図４】この発明に係る浄水器のマイコンが光源を制御するときの制御フローである。
【図５】この発明に係る浄水器のマイコンが光源を制御するときの制御フローである。
【図６】この発明に係る浄水器のマイコンが光源を制御するときの制御フローである。
【図７】この発明に係る浄水器の他の一例の全体を示す模式図である。
【発明を実施するための形態】
【００１９】
（第１実施形態）
以下、この発明の実施の形態を図面に基づいて説明する。
【００２０】
図１に示す浄水器１００は、いわゆる卓上型のものである。浄水器１００は、ノズル１１０とケース１２０とを備えている。ノズル１１０は、接続部１１１を介してケース１２０に取り付けられている。また、図２に示すように、浄水器１００は、流路１３０と、フィルタ１０１と、流量センサ１０５と、光源１４０とを備えている。流路１３０には、水が流通する。フィルタ１０１は、流路１３０に配置され、流路１３０を流通する水を浄化する。ノズル１１０は、流路１３０を流通する水を吐出する。少なくとも、流路１３０の一部と、フィルタ１０１と、流量センサ１０５とは、ケース１２０（図１参照）に収容されている。
【００２１】
浄水器１００に供給される原水は、例えば水道水である。浄水器１００には、水道の蛇口から吐出する水が供給される。ただし、浄水器１００に供給される原水は、浄化対象の水として、井戸水、または河川水等の他の水であってもよい。
【００２２】
なお、浄水器１００では、流路１３０は流路１３１と流路１３２と流路１３３と流路１３４とを有している。流路１３１は、流路１３０のうちの浄水器１００に供給された原水がフィルタ１０１を通過する前の部分である。流路１３２は、流路１３０のうちの浄水器１００に供給された原水がフィルタ１０１を通過する後の部分であり、フィルタ１０１を通過することによって濾過された浄水が流通する。また、浄水器１００は、濁度センサ１０２を備えている。濁度センサ１０２は、流路１３２においてフィルタ１０１が配置された位置よりも、原水の流れ方向に関して下流側に配置されている。流路１３３は、流路１３０のうちの濁度センサ１０２を通過した後の部分である。流路１３４は、ノズル１１０の内部の空洞の部分である。
【００２３】
流路１３０は、図示しない他の流路を備えていてもよい。すなわち、浄水器１００では、流路１３１と流路１３２と流路１３３と流路１３４と他の流路によって、流路１３０が構成されていてもよい。他の流路とは、例えば、フィルタ１０１を洗浄する際に水が流通する流路である。また、流路１３０に流入した原水がノズル１１０を介して浄水器１００の外部に供給されるときには、流路１３２を通過せずに他の流路を流通していてもよい。
【００２４】
また、浄水器１００は、導光板１４５とマイコン１５０とを備えている。導光板１４５は、光源１４０の光を伝える。導光板１４５は、ノズル１１０に配置されている。このとき、導光板１４５は、導光板１４５が伝えている光を使用者が視認することができるように、ノズル１１０に配置されている。導光板１４５が伝える光の一部は、導光板１４５から後述する管状部材１１３の外部に放出される。これにより、導光板１４５が伝える光の一部が、ノズル１００の外部に取り出される。
【００２５】
図３に示すように、ノズル１１０は、管状の形状を有している。ノズル１１０のうち、流路１３４を形成する管状部材１１２は、金属性または樹脂性材料によって形成されている。管状部材１１２の外側には、導光板１４５が配置されている。導光板１４５の外側には、管状部材１１３が配置されている。管状部材１１３は、樹脂性材料によって形成されている。さらに、管状部材１１３は、ノズル１１０の外郭を形成している。また、管状部材１１３の一部は、透明状に形成されている。この透明状に形成された管状部材１１３の一部から、導光板１４５が伝える光の一部が外部に放出される。そのため、浄水器１００の使用者は、ノズル１１０において導光板１４５が伝えている光を視認することができる。なお、導光板１４５がノズル１１０の外郭を形成し、その一部が透明状に形成されたものであってもよい。つまり、ノズル１１０の外側の表面の一部が透明であり、その透明部分から外部に光が放出されるようにノズル１１０が構成されていればよい。したがって、導光板１４５が、充分に強固な剛性を有し、また外観上も満足できるものである場合には、管状部材１１３がノズル１１０に配置されていなくてもよい。
【００２６】
導光板１４５の形態は、特に限定されない。導光板１４５は、導光板１４５のうちのノズル１１０が延びる方向に延びる面において光源１４０の光が均一に発光するものであればよい。アクリル面に反射ドットを形成させる方式は、アクリル板に白色インクで反射ドットを印刷したシルク印刷方式、アクリル面に凹凸をつけた成型方式、アクリル板と反射板とをドット状の粘着材で貼り付けた粘着ドット方式、もしくは溝加工による方式のいずれであってもよい。また、導光板１４５は、導光板１４５の表面と裏面とに、それぞれ拡散用の板材と反射用の板材とが添付されたものであってもよい。例えば、光源１４０を含む光源からの光は、アクリルの全反射を用いてアクリル面の全面に導かれる。アクリル面の反射ドットに当たった光は、全反射角よりも小さい角度で反射されることによってその進路を変える。進路が変更された光はアクリル面の表面から放出される。このような原理により、導光板１４５の全面が均一に光る。
【００２７】
なお、浄水器１００では、導光部として導光板１４５が利用されている。ただし、導光部は、導光板１４５に限定されない。導光部の形状は特に限定されず、板状のものに限定されない。導光部は、光源１４０の光を外方に向かって拡散させるクリアレンズであってもよい。クリアレンズは管状部材１１２の外側に配置される透明部材の一例である。
【００２８】
光源１４０は、後述するように、フィルタ洗浄判断部１７１による判断に基づいて発光するときと、浄水器１００から外部に浄水が供給される場合に発光するときとにおいて、それぞれ異なる色で発光する。浄水器１００は、光源１４０として複数の発光ダイオード（ＬＥＤ）を利用している。光源１４０は、例えば、赤色、青色、緑色、および黄色にて発光するように構成されていればよい。また、光源１４０は、赤色にて発光する赤色ＬＥＤと、青色にて発光する青色ＬＥＤと、緑色にて発光する緑色ＬＥＤと、黄色にて発光する黄色ＬＥＤとを有していてもよい。光源１４０が発するこれら赤色、青色、緑色、および黄色の光の色は、単なる例示であって、後述するように、他の複数の５色であってもよい。
【００２９】
図２に示すように、光源１４０は、接続部１１１に配置されている。ただし、光源１４０は、ケース１２０（図１参照）の内部に配置されていてもよい。これによって、導光板１４５の一部は、ケース１２０の内部に配置されていてもよい。また、光源１４０は、ノズル１１０に配置されていてもよい。このとき、ノズル１１０が延びる方向に並んで複数の光源１４０がノズル１１０に配置されていてもよい。
【００３０】
なお、光源１４０の形態は、特に限定されない。光源１４０は、発光ダイオードの他に、冷陰極管、または、いわゆるスリム管であってもよい。
【００３１】
また、図２に示すように、浄水器１００は、オゾン発生器１０４を備えている。オゾン発生器１０４は、流路１３０を流通する水にオゾンを混入させる。オゾンが含まれた水（以下ではオゾン水という）が浄水器１００の外部に供給される場合は、使用者は、野菜等の洗浄にオゾン水を利用することができる。そのため、オゾン水とは、以下でいう洗浄水を指している。オゾン発生器１０４は、接続路１０３を介して流路１３３に接続されている。
【００３２】
また、図２に示すように、浄水器１００は、混合器１０８を備えている。混合器１０８は、流路１３０を流通する水に機能物質を混入させる。混合器１０８は、接続路１０７を介して流路１３３に接続されている。
【００３３】
機能物質とは、浄水器１００が外部に供給する水に積極的に混入されることにより、その物質が混入された水を使用者が使用する際には有用な物質である。機能物質の態様は、特に限定されず、気体、液体、または固体である。例えば、洗剤を混合する混合器としての洗剤混合器を浄水器が備えていてもよい。この浄水器は、洗剤混合器にて洗剤が混合された水を供給する。また、混合器１０８は、アルカリイオンまたは銀イオンを水に混入させるものであってもよい。
【００３４】
ただし、浄水器１００は、混合器１０８の代わりに加熱装置（図示せず）または冷却装置（図示せず）を備えていてもよい。加熱装置または冷却装置によって流路１３３を流通する水に熱量が加えられることにより、浄水器１００はそれぞれ熱水または冷水を供給することができる。
【００３５】
マイコン１５０は、例えば、実行部１５１と判断部１５２と検知部１５３とタイマ１５４とを有している。検知部１５３は、洗浄水スイッチ１６１、浄水スイッチ１６２、または機能水スイッチ１６３が操作されたことを検知する。また、検知部１５３は、流量センサ１０５が出力する信号を受け取っている。さらに、検知部１５３は、濁度センサ１０２が出力する信号を受け取っている。判断部１５２は、浄水器１００の制御に係る条件を判定している。タイマ１５４は時間を計測する。
【００３６】
図２に示すように、マイコン１５０は、濁度センサ１０２と流量センサ１０５とに接続されている。また、オゾン発生器１０４と混合器１０８と光源１４０とは、マイコン１５０の実行部１５１に接続されている。また、浄水器１００は、洗浄水スイッチ１６１と浄水スイッチ１６２と機能水スイッチ１６３とを備えている。実行部１５１は、洗浄水スイッチ１６１の操作に基づいてオゾン発生器１０４と光源１４０とを制御する。実行部１５１は、機能水スイッチ１６３の操作に基づいて混合器１０８と光源１４０とを制御する。また、実行部１５１は、浄水スイッチ１６２の操作に基づいて光源１４０を制御する。
【００３７】
洗浄水スイッチ１６１と浄水スイッチ１６２と機能水スイッチ１６３とは、マイコン１５０に接続されている。後述するように、洗浄水スイッチ１６１がＯＮに操作されることに基づいて、オゾンが混入され、その結果浄水器１００から外部にオゾン水（洗浄水）が供給される。浄水スイッチ１６２がＯＮに操作されることに基づいて、流路１３１に流入した原水から浄水が生成され、その結果浄水器１００から外部に浄水が供給される。また、機能水スイッチ１６３がＯＮに操作されることに基づいて、流路１３３を流通する水に機能物質が混入され、その結果浄水器１００から外部に機能水が供給される。また、浄水器１００は、メインスイッチ１５５を備えている。メインスイッチ１５５が操作されることにより、図示しないスイッチが例えばＯＮ側に切り換えられてマイコン１５０が稼働する。ただし、マイコン１５０は、図示しない記憶回路等を浄水器１００が備えていることにより、メインスイッチ１５５が操作されていないときでも稼働することができる。また、浄水器１００は、メインスイッチ１５５を備えていなくてもよい。浄水器１００は、図示しない電源プラグがコンセントに挿入されることにより、マイコン１５０が稼動されるように構成されていてもよい。
【００３８】
浄水器１００では、例えば、流量センサ１０５と濁度センサ１０２と検知部１５３と判断部１５２とによってフィルタ洗浄判断部１７１が構成されている。つまり、フィルタ洗浄判断部１７１は、少なくとも流量センサ１０５と濁度センサ１０２と検知部１５３と判断部１５２とを有している。流量センサ１０５は、フィルタ１０１を通過する水の瞬時流量を計測している。また、流量センサ１０５は、計測した水の瞬時流量に基づく信号をマイコン１５０に送信する。フィルタ洗浄判断部１７１は、フィルタ１０１の洗浄時期（つまりフィルタ１０１の洗浄が必要であるか否か）を判断する。なお、フィルタ１０１の洗浄が必要か否かは、タイマ１５４が計測する時間に基づいて判断されるものであってもよい。
【００３９】
水種判別部１７２は、浄水器１００から外部に供給される水の種類として、原水と、浄水器１００によって浄化された浄水と、オゾン発生器１０４が発生させたオゾンを含む水と、機能物質が混入された機能水とを判別する。水種判別部１７２は、例えば、洗浄水スイッチ１６１と浄水スイッチ１６２と機能水スイッチ１６３と検知部１５３と判断部１５２とによって構成されている。つまり、水種判別部１７２は、少なくとも洗浄水スイッチ１６１と浄水スイッチ１６２と機能水スイッチ１６３と検知部１５３と判断部１５２とを有している。さらに、水種判別部１７２は、浄水器１００から外部に供給される水の種類として、熱水と冷水とを判別してもかまわない。
【００４０】
発光制御部１７３は、水種判別部１７２による水の種類の判別と、フィルタ洗浄判断部１７１の判断とに基づいて光源１４０を発光させる。発光制御部１７３は、少なくとも検知部１５３と判断部１５２と実行部１５１とを有している。発光制御部１７３は、光源１４０を制御している。つまり、光源１４０は、発光制御部１７３の制御に基づいて発光する。このように、光源１４０は、水種判別部１７２による水の種類の判別と、フィルタ洗浄判断部１７１による判断とに基づいて発光する。
【００４１】
以上の構成に基づき、浄水器１００の導光板１４５を発光させるときにマイコン１５０が実行する制御について、図４〜図６を用いて説明する。
【００４２】
図４に示すように、ステップＳ４００では、メインスイッチ１５５（図２参照）が操作されることに基づいて、図示しないスイッチがＯＮ側に切り換えられることにより、マイコン１５０が立ち上げられる。ステップＳ４０１では、検知部１５３が浄水スイッチ１６２のＯＮの信号を受け取ったか否かが判断される。ステップＳ４０１において、検知部１５３が浄水スイッチ１６２のＯＮの信号を受け取っていることが判断される場合には、ステップＳ４０２に進む。ステップＳ４０１において、検知部１５３が浄水スイッチ１６２のＯＮの信号を受け取っていないことが判断される場合には、ステップＳ５０１（図５参照）に進む。
【００４３】
ステップＳ４０２では、青色ＬＥＤを発光させる信号が実行部１５１から光源１４０に向かって出力される。続いて、ステップＳ４０３では、青色ＬＥＤが発光する。その結果、ノズル１１０に配置された導光板１４５が青色にて着色される。これにより、浄水器１００が浄水を供給する準備が整っていることが、浄水器１００の使用者に表示される。また、例えば、流路１３１に原水が供給されており、浄水器１００が浄水を外部に供給しているときには、点灯している青色ＬＥＤの光によってノズル１００に青色の光が灯される。
【００４４】
ステップＳ４０３に続いてステップＳ４０４では、流量センサ１０５が送信する信号に基づき、流路１３１に原水が供給されているか否かが判断される。ステップＳ４０４において、流路１３１に原水が供給されていることが判断される場合には、ステップＳ４０５に進む。ステップＳ４０４において、流路１３１に原水が供給されていないことが判断される場合には、ステップＳ４４１に進む。
【００４５】
ステップＳ４０５では、流量センサ１０５が送信する信号に基づき、フィルタ１０１を通過した水の流量の積算値が計算される。ただし、ステップＳ４０５では、流量センサ１０５が送信する信号に基づき、タイマ１５４により、フィルタ１０１を水が通過するときの時間の積算値が計算されるものであってもよい。
【００４６】
ステップＳ４０５に続いてステップＳ４０６では、フィルタ１０１の洗浄が必要であるか否かが判断される。ここでは、フィルタ１０１を通過した水の流量の積算値が所定の積算値を超えたか否かが判断される。ステップＳ４０６において、フィルタ１０１を通過した水の流量の積算値が所定の積算値を超えていることが判断される場合には、ステップＳ４０７に進む。ステップＳ４０６において、フィルタ１０１を通過した水の流量の積算値が所定の積算値以下であることが判断される場合には、ステップＳ４６１に進む。
【００４７】
ステップＳ４０７では、赤色ＬＥＤを発光させる信号が実行部１５１から光源１４０に向かって出力される。続いて、ステップＳ４０８では、赤色ＬＥＤが発光することにより、導光板１４５が赤色にて着色される。これにより、フィルタ１０１の洗浄が必要であることが、浄水器１００の使用者に表示される。
【００４８】
ステップＳ４４１では、青色ＬＥＤを点滅させる信号が実行部１５１から光源１４０に向かって出力される。続いて、ステップＳ４４２では、青色ＬＥＤが点滅することによって導光板１４５が青色にて点滅する。これにより、流路１３１に原水が供給されていないことが、浄水器１００の使用者に表示される。
【００４９】
ステップＳ４６１では、濁度センサ１０２が送信する信号に基づき、検知部１５３がフィルタ１０１を通過した水の濁度を検知する。続いて、ステップＳ４６２では、フィルタ１０１を通過した水の濁度が、予め定められた所定の基準値を超えているか否かが判断される。ステップＳ４６２において、フィルタ１０１を通過した水の濁度が所定の基準値を超えていることが判断される場合には、ステップＳ４６３に進む。ステップＳ４６２において、フィルタ１０１を通過した水の濁度が所定の基準値以下であることが判断される場合には、ステップＳ４６５に進む。
【００５０】
ステップＳ４６３とステップＳ４６４とは、それぞれステップＳ４０７とステップＳ４０８と同様のステップである。
【００５１】
ステップＳ４６５では、検知部１５３が浄水スイッチ１６２のＯＦＦの信号を受け取ったか否かが判断される。ステップＳ４６５において、検知部１５３が浄水スイッチ１６２のＯＦＦの信号を受け取っていることが判断される場合には、ステップＳ４６６に進む。ステップＳ４６５において、検知部１５３が浄水スイッチ１６２のＯＦＦの信号を受け取っていないことが判断される場合には、ステップＳ４０４に戻る。ステップＳ４６６では、浄水の供給が停止される。
【００５２】
なお、ステップＳ４０８またはステップＳ４６４では、それぞれステップＳ４０６またはステップＳ４６２において判断された積算値または基準値に応じ、所定の時間内での点滅の回数が段階的に増加していてもよく、赤色の濃度が段階的に変化していてもよい。
【００５３】
図５に示すように、ステップＳ５０１では、検知部１５３が洗浄水スイッチ１６１のＯＮの信号を受け取ったか否かが判断される。ステップＳ５０１において、検知部１５３が洗浄水スイッチ１６１のＯＮの信号を受け取っていることが判断される場合には、ステップＳ５０２に進む。ステップＳ５０１において、検知部１５３が洗浄水スイッチ１６１のＯＮの信号を受け取っていないことが判断される場合には、ステップＳ６０１（図６参照）に進む。
【００５４】
ステップＳ５０２では、緑色ＬＥＤを発光させる信号が実行部１５１から光源１４０に向かって出力される。続いて、ステップＳ５０３では、緑色ＬＥＤが発光する。その結果、ノズル１１０に配置された導光板１４５が緑色にて着色される。これにより、浄水器１００が洗浄水を供給する準備が整っていることが、浄水器１００の使用者に表示される。また、例えば、浄水器１００が洗浄水を外部に供給しているときには、点灯している緑色ＬＥＤの光によってノズル１００に緑色の光が灯される。
【００５５】
ステップＳ５０４は、ステップＳ４０４と同様のステップである。ステップＳ５０４において、流路１３１に原水が供給されていることが判断される場合には、ステップＳ５０５に進む。ステップＳ５０４において、流路１３１に原水が供給されていないことが判断される場合には、ステップＳ５４１に進む。
【００５６】
ステップＳ５０５は、ステップＳ４０５と同様のステップである。ステップＳ５０５に続いて、ステップＳ５０６において、フィルタ１０１を通過した水の流量の積算値が所定の積算値を超えていることが判断される場合には、ステップＳ５０７に進む。ステップＳ５０６において、フィルタ１０１を通過した水の流量の積算値が所定の積算値以下であることが判断される場合には、ステップＳ５６１に進む。なお、ステップＳ５０６にて判断される所定の積算値と、ステップＳ４０６にて判断される所定の積算値とは、それぞれ同一の値であってもよく、互いに異なる値であってもよい。
【００５７】
ステップＳ５０７は、ステップＳ４０７と同様のステップである。また、ステップＳ５０８は、ステップＳ４０８と同様のステップである。
【００５８】
ステップＳ５４１では、緑色ＬＥＤを点滅させる信号が実行部１５１から光源１４０に向かって出力される。続いて、ステップＳ５４２では、緑色ＬＥＤが点滅することによって導光板１４５が緑色にて点滅する。これにより、流路１３１に原水が供給されていないことが、浄水器１００の使用者に表示される。
【００５９】
ステップＳ５６１は、ステップＳ４６１と同様のステップである。また、ステップＳ５６２は、ステップＳ４６２と同様のステップである。ステップＳ５６２において、フィルタ１０１を通過した水の濁度が所定の基準値を超えていることが判断される場合には、ステップＳ５６３に進む。ステップＳ５６２において、フィルタ１０１を通過した水の濁度が所定の基準値以下であることが判断される場合には、ステップＳ５６５に進む。なお、ステップＳ５６２にて判断される所定の基準値と、ステップＳ４６２にて判断される所定の基準値とは、それぞれ同一の値であってもよく、互いに異なる値であってもよい。
【００６０】
ステップＳ５６３とステップＳ５６４とは、それぞれステップＳ５０７とステップＳ５０８と同様のステップである。
【００６１】
ステップＳ５６５では、検知部１５３が洗浄水スイッチ１６１のＯＦＦの信号を受け取ったか否かが判断される。ステップＳ５６５において、検知部１５３が洗浄水スイッチ１６１のＯＦＦの信号を受け取っていることが判断される場合には、ステップＳ５６６に進む。ステップＳ５６５において、検知部１５３が洗浄水スイッチ１６１のＯＦＦの信号を受け取っていないことが判断される場合には、ステップＳ５０４に戻る。ステップＳ５６６では、洗浄水の供給が停止される。
【００６２】
図６に示すように、ステップＳ６０１では、検知部１５３が機能水スイッチ１６３のＯＮの信号を受け取ったか否かが判断される。ステップＳ６０１において、検知部１５３が機能水スイッチ１６３のＯＮの信号を受け取っていることが判断される場合には、ステップＳ６０２に進む。ステップＳ６０１において、検知部１５３が機能水スイッチ１６３のＯＮの信号を受け取っていないことが判断される場合には、ステップＳ４０１（図４参照）に戻る。
【００６３】
ステップＳ６０２では、黄色ＬＥＤを発光させる信号が実行部１５１から光源１４０に向かって出力される。続いて、ステップＳ６０３では、黄色ＬＥＤが発光する。その結果、ノズル１１０に配置された導光板１４５が黄色にて着色される。これにより、浄水器１００が機能水を供給する準備が整っていることが、浄水器１００の使用者に表示される。また、例えば、浄水器１００が機能水を外部に供給しているときには、点灯している黄色ＬＥＤの光によってノズル１００に黄色の光が灯される。
【００６４】
ステップＳ６０４は、ステップＳ４０４またはステップＳ５０４と同様のステップである。ステップＳ６０４において、流路１３１に原水が供給されていることが判断される場合には、ステップＳ６０５に進む。ステップＳ６０４において、流路１３１に原水が供給されていないことが判断される場合には、ステップＳ６４１に進む。
【００６５】
ステップＳ６０５は、ステップＳ４０５またはステップＳ５０５と同様のステップである。ステップＳ６０５に続いて、ステップＳ６０６において、フィルタ１０１を通過した水の流量の積算値が所定の積算値を超えていることが判断される場合には、ステップＳ６０７に進む。ステップＳ６０６において、フィルタ１０１を通過した水の流量の積算値が所定の積算値以下であることが判断される場合には、ステップＳ６６１に進む。なお、ステップＳ６０６にて判断される所定の積算値と、ステップＳ４０６にて判断される所定の積算値と、またはステップＳ５０６にて判断される所定の積算値とは、それぞれ同一の値であってもよく、互いに異なる値であってもよい。
【００６６】
ステップＳ６０７は、ステップＳ４０７またはステップＳ５０７と同様のステップである。また、ステップＳ６０８は、ステップＳ４０８またはステップＳ５０８と同様のステップである。
【００６７】
ステップＳ６４１では、黄色ＬＥＤを点滅させる信号が実行部１５１から光源１４０に向かって出力される。続いて、ステップＳ６４２では、黄色ＬＥＤが点滅することによって導光板１４５が黄色にて点滅する。これにより、流路１３１に原水が供給されていないことが、浄水器１００の使用者に表示される。
【００６８】
ステップＳ６６１は、ステップＳ４６１またはステップＳ５６１と同様のステップである。また、ステップＳ６６２は、ステップＳ４６２またはステップＳ５６２と同様のステップである。ステップＳ６６２において、フィルタ１０１を通過した水の濁度が所定の基準値を超えていることが判断される場合には、ステップＳ６６３に進む。ステップＳ６６２において、フィルタ１０１を通過した水の濁度が所定の基準値以下であることが判断される場合には、ステップＳ６６５に進む。なお、ステップＳ６６２にて判断される所定の基準値と、ステップＳ４６２にて判断される所定の基準値と、ステップＳ５６２にて判断される所定の基準値とは、それぞれ同一の値であってもよく、互いに異なる値であってもよい。
【００６９】
ステップＳ６６３とステップＳ６６４とは、それぞれステップＳ６０７とステップＳ６０８と同様のステップである。
【００７０】
ステップＳ６６５では、検知部１５３が機能水スイッチ１６３のＯＦＦの信号を受け取ったか否かが判断される。ステップＳ６６５において、検知部１５３が機能水スイッチ１６３のＯＦＦの信号を受け取っていることが判断される場合には、ステップＳ６６６に進む。ステップＳ６６５において、検知部１５３が機能水スイッチ１６３のＯＦＦの信号を受け取っていないことが判断される場合には、ステップＳ６０４に戻る。ステップＳ６６６では、機能水の供給が停止される。
【００７１】
以上のように、浄水器１００は、流路１３０と、フィルタ１０１と、ノズル１１０とを備えている。流路１３０には、水が流通する。フィルタ１０１は、流路１３０に配置され、流路１３０を流通する水を浄化する。ノズル１１０は、流路１３０を流通する水を吐出する。さらに、浄水器１００は、フィルタ洗浄判断部１７１と、水種判別部１７２と、光源１４０とを備えている。フィルタ洗浄判断部１７１は、フィルタ１０１の洗浄時期を判断する。水種判別部１７２は、浄水器１００から外部に供給される水の種類を判別する。光源１４０は、赤色と青色と緑色と黄色の光を発する。光源１４０は、水種判別部１７２による水の種類の判別と、フィルタ洗浄判断部１７１による判断とに基づいて発光する。浄水器１００では、フィルタ洗浄判断部１７１による判断に基づいて光源１４０が発光するときには、光源１４０は赤色にて発光し、水種判別部１７２によって判別される水の種類が浄水である場合に光源１４０が発光するときには、光源１４０は青色にて発光する。一方、ノズル１１０は、管状部材１１２と導光板１４５とを有している。管状部材１１２は流路１３０のうちの流路１３４を形成する。導光板１４５は光源が発する光を伝える。また、導光板１４５は、管状部材１１２の外側に配置され、光源１４０が発する光を導光板１４５の少なくとも一部からノズル１１０の外部に放出する。
【００７２】
浄水器１００によれば、フィルタ洗浄判断部１７１による判断に基づいて光源１４０が発光するときの色と、水種判別部１７２によって判別される水の種類が浄水である場合に光源１４０が発光するときの色とがそれぞれ異なっている。これにより、フィルタ洗浄判断部１７１による判断に基づいて導光板１４５が発光するときの色と、水種判別部１７２によって判別される水の種類が浄水である場合に導光板１４５が発光するときの色とがそれぞれ異なっている。
【００７３】
また、導光板１４５は、管状部材１１２の外側に配置され、光源１４０が発する光を導光板１４５の少なくとも一部からノズル１１０の外部に放出する。このように、導光板１４５は、導光板１４５が伝えている光を浄水器１００の使用者が視認することができるように、ノズル１１０に配置されている。そのため、使用者は、フィルタ洗浄判断部１７１による判断に基づいて光源１４０が発光するときと、水種判別部１７２によって判別される水の種類が浄水である場合に光源１４０が発光するときとにおいて、それぞれ赤色と青色で光っている導光板１４５を視認することができる。
【００７４】
このように、導光板１４５は、フィルタ洗浄判断部１７１による判断に基づいて光るときと、水種判別部１７２によって判別される水の種類が浄水である場合に光るときとにおいて、ノズル１１０にて同様の形態で光っている。すなわち、浄水器１００は、フィルタ１０１の洗浄時期と、浄水器１００から外部に供給される水の種類とを、ノズル１１０に配置された導光板１４５の光によって表示することができる。また、導光板１４５が伝えている光によってノズル１１０に光が灯されるため、使用者は、フィルタ１０１の洗浄時期と、供給される水の種類とを、比較的容易に識別することができる。このように、浄水器１００は、フィルタ１０１の洗浄時期と、供給される水の種類とを、それぞれ同様の形態で表示し、且つ、使用者に比較的容易に識別させることが可能であるように表示する。
【００７５】
また、浄水器１００では、水種判別部１７２は、浄水器１００から外部に供給される水の種類として、浄水、洗浄水、機能水、熱水、または、冷水のうちの少なくとも一つを判別する。
【００７６】
この構成によれば、浄水器１００から外部に供給される水の種類として、浄水、洗浄水、機能水、熱水、または冷水と、さらにフィルタの洗浄時期とが、それぞれ同様の形態で表示され、且つ、使用者に比較的容易に識別させることが可能であるように表示される。そのため、この構成によれば、浄水器１００の利便性がより向上する。
【００７７】
浄水器１００は、流路１３０のうちの流路１３３に接続され、流路１３３を流通する水にオゾンを混入させるオゾン発生器１０４を備えている。浄水器１００では、水種判別部１７２は、浄水器１００から外部に供給される水の種類として、オゾン発生器１０４が発生させたオゾンを含む水（これは洗浄水である）と、浄水とを判別する。また、光源１４０は、フィルタ洗浄判断部１７１による判断に基づいて発光するときには赤色にて発光し、浄水器１００から外部に浄水が供給される場合に発光するときには青色にて発光し、および、浄水器１００から外部に洗浄水が供給される場合に発光するときには緑色にて発光する。
【００７８】
さらに、浄水器１００は、流路１３３に接続され、流路１３３を流通する水に機能物質を混入させる混合器１０８を備えている。水種判別部１７２は、浄水器１００から外部に供給される水の種類として、混合器１０８から機能物質が混入された機能水と、洗浄水と、浄水とを判別する。また、光源１４０は、浄水器１００から外部に機能水が供給される場合には、黄色にて発光する。
【００７９】
このように、浄水器１００では、浄水器１００から外部に供給される水の種類としての浄水と洗浄水と機能水と、さらにフィルタ１０１の洗浄時期とが、それぞれ同様の形態で表示され、且つ、使用者に比較的容易に識別させることが可能であるように表示される。そのため、浄水器１００の利便性がさらに向上する。また、オゾンの効果により、使用者が利用する水の有用性が向上する。機能物質の効果により、使用者が利用する水の有用性がより向上する。
【００８０】
以上のように、浄水器１００は、フィルタ１０１の洗浄時期と、供給される水の種類とを、それぞれ同様の形態で表示し、且つ、使用者に比較的容易に識別させることが可能であるように表示することができる。
【００８１】
（第２実施形態）
図７に示すように、第２実施形態に係る浄水器２００は、シンク２８０の下方に配置されるような、いわゆるアンダーシンク型のものである。浄水器２００の光源は、例えばシンク２８０とノズル１１０との接続部１２１に収容されている。接続部１２１には、止水弁２８３が設けられている。また、原水が流通する流路１３０のうち、水の流れ方向に関して浄水器２００の内部よりも上流側には、止水弁２８１と逆止弁２８２とが配置されている。浄水器２００のその他の構成は、浄水器１００のものと同様である。
【００８２】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【００８３】
１００：浄水器、１０１：フィルタ、１０４：オゾン発生器、１０８：混合器、１１０：ノズル、１１２：管状部材、１１３：透明部材、１３０、１３１，１３２，１３３，１３４：流路、１４０：光源、１４５：導光板、１７１：フィルタ洗浄判断部、１７２：水種判別部、１７３：発光制御部
【図１】
2012096182.tif 000003
【図２】
2012096182.tif 000004
【図３】
2012096182.tif 000005
【図４】
2012096182.tif 000006
【図５】
2012096182.tif 000007
【図６】
2012096182.tif 000008
【図７】
2012096182.tif 000009